(57)【要約】【課題】電気的なトラブルが生じて電動アクチュエータの出力軸が施解錠位置以外の任意の位置に停止しても、マニュアル操作により施錠或いは解錠位置にリセットさせることができるキャビネットの施解錠装置を提供すること。【解決手段】シリンダ錠８の回動軸と一体回動するハウジング１０に電動アクチュエータが収容固定されて、このハウジング１０の回動で電動アクチュエータの出力軸１７を駆動可能であり、出力軸１７が電気的なトラブルによりいかなる位置に停止していても、キー操作によりシリンダ錠８の一方向半回転に続く逆方向半回転でこの出力軸１７が簡単に施錠位置或いは解錠位置の正規位置にリセットさせることができ、正常に復帰後の電動アクチュエータ１２の制御が容易に行える。【選択図】　図４
2004107902.tif 000002
【特許請求の範囲】
【請求項１】
キー操作により回動するシリンダ錠と連接した電動アクチュエータへの電気信号により一方向に出力軸を駆動して半回転毎に施解錠を行うようにしたキャビネットの施解錠装置であって、
前記電動アクチュエータは、前記シリンダ錠の回動軸と一体回動する収容部材に収容固定されて該収納部材の回動で前記電動アクチュエータの出力軸を駆動可能であり、前記出力軸がいかなる位置に停止していても、前記シリンダ錠の前記一方向半回転に続く逆方向半回転で該出力軸が施錠位置或いは解錠位置の正規位置にリセットされることを特徴とするキャビネットの施解錠装置。
【請求項２】
前記出力軸は、共に回転する直径方向に延びる錠側ストッパーを有し、前記錠側ストッパーの前記一方向回動に対しては許容するが、他方向回動に対しては該錠側ストッパー端部の２つの爪部の何れか一方の当接でその回動を阻止する固定側ストッパーが設けられている請求項１に記載のキャビネットの施解錠装置。
【請求項３】
前記固定側ストッパーは、前記爪部と当接可能な位置と、前記錠側ストッパーの前記一方向回動に対してその回動を許容する退避位置間で、前記爪部に応動して移動する作動体を備えている請求項２に記載のキャビネットの施解錠装置。
【発明の詳細な説明】
【０００１】
【発明の属する技術分野】
本発明は、キー操作により回動するシリンダ錠と連接した電動アクチュエータへの電気信号により一方向に出力軸を駆動して半回転毎に施解錠を行うようにしたキャビネットの施解錠装置に関する。
【０００２】
【従来の技術】
本出願人は図７に示すような、キー操作により回動するシリンダ錠と連接した電動アクチュエータを備えたキャビネットの施解錠装置を開発し、既に特願２００１−２８９４４０号として特許出願している。
【０００３】
図７はこのような施解錠装置の断面図であり、施解錠装置０１はシリンダ錠０２と、このシリンダ錠０２と連接した電動アクチュエータ０３で構成されている。シリンダ錠０２の後端側には、差込みキーの回動動作と連動する回動軸０４が突設しており、この回動軸０４に固着された収容部材である筒状のハウジング０５内には、減速機付きモータを有する電動アクチュエータ０３が、ホルダ０６を介して複数のネジ０７により収容固定されている。
【０００４】
電動アクチュエータ０３には、駆動のための電気ケーブル０８の一端が収納部材０５に形成した丸孔０５ａを通して接続されている。この収納部材０５内の後方端部側には、回動板０９ａと偏心軸０９ｂから成る偏心体０９が出力軸０１０に固着されている。
【０００５】
例えば、リモコン等による遠隔操作により電動アクチュエータ０３を、電気ケーブル０８を介して回動させて、出力軸０１０を例えばキーの正面側から視て反時計回りに半回転することにより、作動板０１１が後面板０１２と前面板０１３により構成される案内支持部に案内されて左行し、施錠もしくは解錠動作が行われる。この電動アクチュエータ０３の駆動制御は出力軸０１０の回転に伴うリミットスイッチのオン、オフで行われ、半回転毎に作動板０１１が周期的に左右に移動する。
【０００６】
停電や、リミットスイッチ等の故障で電気的なトラブルが生じて施解錠が行われない状態となった時、偏心軸０９ｂが丁度、施錠もしくは解錠位置であればシリンダ錠０２にキーを差込み、マニュアルで強制回動させて収納部材０５を半回転させることができれば、出力軸０１０により作動板０１１が移動して解錠もしくは施錠状態を得ることができる。
【０００７】
【発明が解決しようとする課題】
しかしながら、上記の施解錠装置０１は、電気的なトラブルが生じて施解錠が行われない状態となった時に偏心軸０９ｂが丁度、施錠もしくは解錠位置にあれば良いが、他の任意の位置で停止した場合には、電気的なトラブルが解消されて通常の電動アクチュエータによる制御をしようとするときに、初期位置にリセットされておらず、通常の施解錠操作が困難であった。
【０００８】
本発明はこのような事情に鑑みてなされたもので、その目的とするところは、電気的なトラブルが生じて電動アクチュエータの出力軸が施解錠位置以外の任意の位置に停止しても、マニュアル操作により施錠或いは解錠位置にリセットさせることができるキャビネットの施解錠装置を提供することにある。
【０００９】
【課題を解決するための手段】
上記課題を解決するために、本発明のキャビネットの施解錠装置は、キー操作により回動するシリンダ錠と連接した電動アクチュエータへの電気信号により一方向に出力軸を駆動して半回転毎に施解錠を行うようにしたキャビネットの施解錠装置であって、前記電動アクチュエータは、前記シリンダ錠の回動軸と一体回動する収容部材に収容固定されて該収納部材の回動で前記電動アクチュエータの出力軸を駆動可能であり、前記出力軸がいかなる位置に停止していても、前記シリンダ錠の前記一方向半回転に続く逆方向半回転で該出力軸が施錠位置或いは解錠位置の正規位置にリセットされることを特徴としている。
この特徴によれば、電気的なトラブルが生じても、キー操作により簡単に施錠位置或いは解錠位置の正規位置にリセットさせることができ、正常に復帰後の電動アクチュエータの制御が容易に行える。
【００１０】
本発明のキャビネットの施解錠装置において、前記出力軸は共に回転する直径方向に延びる錠側ストッパーを有し、前記錠側ストッパーの前記一方向回動に対しては許容するが、他方向回動に対しては該錠側ストッパー端部の２つの爪部の何れか一方の当接でその回動を阻止する固定側ストッパーが設けられていることが好ましい。
このようにすれば、キー操作により施錠位置或いは解錠位置の正規位置に機械的に正確にリセットさせることができる。
【００１１】
本発明のキャビネットの施解錠装置において、前記固定側ストッパーは、前記爪部と当接可能な位置と、前記錠側ストッパーの前記一方向回動に対してその回動を許容する退避位置間で、前記爪部に応動して移動する作動体を備えていることが好ましい。
このようにすれば、出力軸の回動方向に応じて移動する作動体を用いることで、簡素な機構で確実なリセット作用を行うことができる。
【００１２】
【発明の実施の形態】
以下、本発明の実施例を図面に基づいて説明する。
【００１３】
図１〜図５は本発明の一実施形態を示すもので、図１の（ａ）は電子錠のキー差込み部を示す正面図、（ｂ）は電子錠の側面図、図２の（ａ）は電子錠の電動アクチュエータを示す一部を破断した平面図、（ｂ）は電子錠の偏心ピンを示す背面図、図３は電子錠の電動アクチュエータ部がブラケットに付けられた状態を示す平面図、図４は同じくブラケットに取付けられた電子錠を偏心ピン側から視た斜視図、図５の（ａ）は錠側ストッパーが解錠位置にリセットされた状態を示し、（ｂ）は錠側ストッパーが施錠位置にリセットされた状態を示す説明図である。
【００１４】
図１、図２において、符号１は、キャビネット等の施解錠装置としての電子錠であり、この電子錠１は、マニュアル操作により正逆にそれぞれ半回転することで施解錠を行うことができる既存のシリンダ錠８と、このシリンダ錠８の後端に連結され電気的な操作で施解錠を行う電動アクチュエータ１２とから構成されている。
【００１５】
シリンダ錠８の後端側には、差込みキーの回動動作と連動する回動軸１４が突設しており、この回動軸１４には収容部材である円筒状ハウジング１０の前端が図示しない嵌合孔を介して固着され、このハウジング１０内には減速機付きモータを有する電動アクチュエータ１２が、キャップ状のホルダ１３を介して上下一対の取付ネジ９により収容固定されている。
【００１６】
ハウジング１０の前端側側面には円周方向長孔１０ａが形成されており、ハウジング１０内に収容固定された電動アクチュエータ１２の前端には、円周方向長孔１０ａから導入した一対の電気ケーブル１８ａ、１８ｂの一端が接続されている。
【００１７】
また、ハウジング１０内の後方端部には、回動板１５と偏心軸１６から成る偏心体２０が電動アクチュエータ１２の出力軸１７に固着されている。
【００１８】
一方電子錠１は、図３及び図４に示すように、垂直保持板２４ａを挟んでシリンダ錠８の後端面と円筒状ハウジング１０の前端面が軸方向に向き合って対峙し、円筒状ハウジング１０はブラケット２４上面の一対の挟持板２２ａ、２２ｂ間に配置されている。
【００１９】
回動板１５前面には、その外周より直径方向に突出した２つの爪部２５ａ、２５ｂを両端に備えた錠側ストッパー２５が取付けられ、円筒状ハウジング１０先端の近傍側面には何れか一方の爪部２５ａ、２５ｂとの当接で、その一方向の回動を許容し、回動板１５の他方向の回動を規制する固定側ストッパー２６がブラケット２４の上面に配設されている。
【００２０】
この固定側ストッパー２６は、錠側ストッパー２５の爪部２５ａ、２５ｂと当接係合する係止爪２７ａを備えた揺動作動体２７と、この揺動作動体２７の後方を回動可能に枢支すべく垂直支持板２８に固定された支持軸３０とから成り、係止爪２７ａはその上方の移動のみ可能なように支持軸３０で回動可能に支持され、逆方向の回動は係止爪２７ａが水平位置（当接可能位置）までは回動できるがそれ以上の回動は拘束されている。
【００２１】
従って、シリンダ錠８または電動アクチュエータ１２の回動操作により、回動板１５を図４に示す正面から視て反時計回り（矢印方向）に回動した場合は、その方向には自由に回動するが、時計回りに回動した場合には爪部２５ａ、２５ｂの何れかが係止爪２７ａに係止して停止する。これらの停止位置によって偏心軸１６を施錠位置または解錠位置に位置決めしている。
【００２２】
次に、電子錠の施解錠操作に付き、図３、図４及び図５の（ａ）、（ｂ）を参照して説明する。
【００２３】
先ず、電子錠１を操作するに際し、図３に示すように、シリンダ錠８がマニュアルにて施錠されてキー差込み部８ａから手動キーＫが抜かれた状態を施錠装置の初期位置として設定される。
【００２４】
すなわち、初期位置とは、図５の（ａ）に示すようにシリンダ錠８と共に爪部材２５を時計回りに回動して、一方の係止爪２５ｂ（図中ハッチング部）が固定側ストッパー２６の係止爪２７ａの上面に当接して偏心軸１６が上昇端に有る状態を示す。
【００２５】
そこで、この状態を電気的に電子錠１の解錠状態として設定し、この状態からリモコン等の遠隔操作により施錠操作を行なうと、図４に示すように、電気ケーブル１８ａ、１８ｂを介して電動アクチュエータが作動して偏心体２０が反時計回りに半回転し、他方の爪部２５ａが固定側ストッパー２６の係止爪２７ａの下面に当接したところで偏心軸１６が下降端に移動し、この偏心軸１６に長孔を介して係合した図示しない作動板を直線方向一方側に移動することで施錠動作が行われる。この時、リミットスイッチなどの検出装置により電気的に半回転移動が検出されることにより電動アクチュエータの駆動が停止される。
【００２６】
次に、リモコンで解錠操作を行なうと、偏心体２０が反時計回りに更に半回転して図５（ａ）に示す解錠位置になると、再びリミットスイッチにより電動アクチュエータの駆動が停止する。この時爪部２５ｂは固定側ストッパー２６の係止爪２７ａを蹴り上げ、揺動作動ピン２７を支持軸３０を支点として時計回りに回動するが、やがて爪部２５ｂが係止爪２７ａと離れる（退避位置）ので、揺動作動ピン２７は再び重力により水平位置（当接可能位置）に戻る。
【００２７】
ここで、電子錠１に電気的なトラブルが生じて施解錠が行われない状態となった場合の操作に付き説明する。
【００２８】
例えば、リモコン等の遠隔操作による指令にも拘わらず、電動アクチュエータが作動しない場合で、図５の（ａ）に示すように、例えば偏心軸の位置が１６’に示すように、電動アクチュエータ１２の出力軸１７を横切る水平軸線の上方に有る場合では次のように操作することで施錠位置にリセットが可能である。
【００２９】
先ず、シリンダ錠８のキー差込み部８ａに手動キーＫを差し込み、手動キーＫを反時計回りに半回転させると、ハウジング１０を介して錠側ストッパー２５が反時計回りに半回転する。この時、爪部２５ａが固定側ストッパー２６の係止爪２７ａを押上げて通過する。
【００３０】
次に手動キーＫを時計回りに半回転させると、ハウジング１０を介して錠側ストッパー２５が時計回りに半回転しようとするが、爪２５ａが係止爪２７ａの上面に当接し、それ以上の回動は拘束されるので、手動キーＫは回動軸１４に対して滑って半回転位置に戻るが、図５（ｂ）に示すように、偏心軸１６は下端（施錠位置）に位置決めされる。
【００３１】
一方、偏心軸の位置が、電動アクチュエータ１２の出力軸１７を横切る水平軸線の下方に有る場合では次のように操作することで解錠位置にリセットが可能である。
【００３２】
この場合、同様に、手動キーＫを反時計回りに半回転させると、ハウジング１０を介して錠側ストッパー２５が反時計回りに半回転する。この時、爪部２５ｂが固定側ストッパー２６の係止爪２７ａを押上げて通過する。
【００３３】
次に手動キーＫを時計回りに半回転させると、ハウジング１０を介して錠側ストッパー２５が時計回りに半回転しようとするが、爪２５ｂが係止爪２７ａの上面に当接し、それ以上の回動は拘束されるので、手動キーＫは回動軸１４に対して滑って半回転位置に戻るが、図５（ａ）に示すように、偏心軸１６は上端（解錠位置）に位置決めされる。
【００３４】
従って、上記のように構成された施解錠装置によれば、電動アクチュエータ１２は、シリンダ錠８の回動軸１４と一体回動するハウジング１０に収容固定されて、このハウジング１０の回動で電動アクチュエータ１２の偏心軸１６を駆動可能に構成され、電気的なトラブルが生じて偏心軸１６がいかなる位置に停止していても、キー操作によりシリンダ錠８の一方向半回転に続く逆方向半回転により、この偏心軸１６を施錠位置或いは解錠位置の正規位置に簡単にリセットすることができ、正常に復帰後の電動アクチュエータ１２の制御を容易に行うことができる。
【００３５】
また、偏心軸１６を設けた回動板１５には直径方向に延びる錠側ストッパー２５を有し、錠側ストッパー２５の一方向回動に対しては許容するが、他方向回動に対してはこの錠側ストッパー２５端部の２つの爪部２５ａ、２５ｂの何れか一方との当接でその回動を阻止する固定側ストッパー２６が設けられているので、キー操作により施錠位置或いは解錠位置の正規位置に機械的に正確にリセットさせることができる。
【００３６】
更に、固定側ストッパー２６は、係止爪２７ａと当接可能な位置と、何れか一方の爪部２５ａ、２５ｂが反時計回りに回動したときにこれら爪部２５ａ、２５ｂと当接した係止爪２７ａが、支持軸３０を中心として上方に押上げられて何れか一方の爪部２５ａ、２５ｂの通過を許容する退避位置との間で移動する作動体を備えているので、簡素な機構で確実なリセット作用を行うことができる。
【００３７】
次ぎに、固定側ストッパーの変形例に付き図６を参照して以下に説明する。尚、前述した構成部材と同一構成部材に付いては、同一符号を付し重複する説明を省略する。
【００３８】
符号３は、上記固定側ストッパーの変形例となる固定側ストッパー３６を備えた電子錠を示しており、この電子錠３は、上記実施形態と同様にシリンダ錠８または電動アクチュエータ１２の回動操作により、回動板１５が図の正面から視て反時計回りに回動した場合は、その方向には自由に回動するが時計回りに回動した場合には、爪部２５ａ、２５ｂの何れかが固定側ストッパー３６の係止爪３２ａに係止して停止することになり、これらの停止位置によって偏心軸１６を施錠位置または解錠位置に位置決めできるようになっている。
【００３９】
詳しくは、固定側ストッパー３６は、係止爪３２ａを有する水平方向に突設した摺動作動体３２と、この摺動作動体３２の両側面を拘束した状態で左右方向に摺動可能に支持するブラケット３４と、摺動作動体３２に形成される左右方向に延びるガイド長孔３２ｂを挿通保持すべくブラケット３４の左右２箇所に離間配置された一対の支持軸Ｂ１、Ｂ２と、ブラケット３４の側面に突設した係止ピンＰ１と摺動体３２右方側面に突設した係止ピンＰ２間に張架された引っ張りバネ３５とで構成されている。
【００４０】
摺動作動体３２は一対の係止ピンＰ１、Ｐ２の間隔より若干長く形成されたガイド長孔３２ｂの範囲でガイドされ、係止爪３２ａは引っ張りバネ３５により爪部２５ａ、２５ｂに向けて常時突出するように付勢されている。
【００４１】
従って、シリンダ錠８または電動アクチュエータ１２の回動操作により、回動板１５を図６に示す正面から視て反時計回り（矢印方向）に回動した場合は、爪部１５ａ又は２５ｂが係止爪３２ａと当接するが、係止爪３２ａの当接面がテーパ状に形成されているので、摺動作動体３２は２点鎖線で示す如く右方向に後退し、爪部１５ａ又は２５ｂの通過を許容する。
【００４２】
逆に、回動板１５を時計回り（矢印方向）に回動した場合は、爪部１５ａ又は２５ｂが係止爪３２ａの平らな上面と当接するので、摺動作動体３２の右方向への後退はなく、錠側ストッパー２５のそれ以上の回動は阻止される。そして、爪部２５ａ、２５ｂの何れかが係止爪３２ａに係止することで、偏心軸１６を施錠位置または解錠位置に位置決めすることができる。
【００４３】
【発明の効果】
本発明は以下の効果を奏する。
【００４４】
（ａ）請求項１項の発明によれば、電気的なトラブルが生じても、キー操作により簡単に施錠位置或いは解錠位置の正規位置にリセットさせることができ、正常に復帰後の電動アクチュエータの制御が容易に行える。
【００４５】
（ｂ）請求項２項の発明によれば、キー操作により施錠位置或いは解錠位置の正規位置に機械的に正確にリセットさせることができる。
【００４６】
（ｃ）請求項３項の発明によれば、出力軸の回動方向に応じて移動する作動体を用いることで、簡素な機構で確実なリセット作用を行うことができる。
【図面の簡単な説明】
【図１】本発明の一実施形態を示すものであって、（ａ）は電子錠のキー差込み部を示す正面図、（ｂ）は電子錠の側面図である。
【図２】（ａ）は電子錠の電動アクチュエータを示す一部を破断した平面図、（ｂ）は電子錠の偏心ピンを示す背面図である。
【図３】電子錠の電動アクチュエータ部がブラケットに取付けられた状態を示す平面図である。
【図４】同じくブラケットに取付けられた電子錠を偏心ピン側から視た斜視図である。
【図５】（ａ）は錠側ストッパーが解錠位置にリセットされた状態を示し、（ｂ）は錠側ストッパーが施錠位置にリセットされた状態を示す説明図である。
【図６】固定側ストッパーの変形例示す説明図である。
【図７】電動アクチュエータを示す従来の電子錠の一部を破断した平面図である。
【符号の説明】
１、３　　　　　　　　電子錠（施解錠装置）
８　　　　　　　　　　シリンダ錠
８ａ　　　　　　　　　キー差込み部
９　　　　　　　　　　取付ネジ
１０　　　　　　　　　ハウジング（収納部材）
１０ａ　　　　　　　　円周方向長孔
１２　　　　　　　　　電動アクチュエータ
１３　　　　　　　　　ホルダ
１４　　　　　　　　　回動軸
１５　　　　　　　　　回動板
１６　　　　　　　　　偏心軸
１７　　　　　　　　　出力軸
１８ａ、１８ｂ　　　　電気ケーブル
２０　　　　　　　　　偏心体
２２ａ、２２ｂ　　　　挟持板
２４　　　　　　　　　ブラケット
２４ａ　　　　　　　　垂直保持板
２５　　　　　　　　　錠側ストッパー
２５ａ、２５ｂ　　　　爪部
２６　　　　　　　　　固定側ストッパー
２７　　　　　　　　　揺動作動体（作動体）
２７ａ　　　　　　　　係止爪
２８　　　　　　　　　垂直支持板
３０　　　　　　　　　支持軸
３２　　　　　　　　　摺動作動体（作動体）
３２ａ　　　　　　　　係止爪
３２ｂ　　　　　　　　ガイド長孔
３４　　　　　　　　　ブラケット
３５　　　　　　　　　引っ張りバネ
３６　　　　　　　　　固定側ストッパー
Ｂ１、Ｂ２　　　　　　支持軸
Ｋ　　　　　　　　　　手動キー
Ｐ１、Ｐ２　　　　　　係止ピン
【図１】
2004107902.tif 000003
【図２】
2004107902.tif 000004
【図３】
2004107902.tif 000005
【図４】
2004107902.tif 000006
【図５】
2004107902.tif 000007
【図６】
2004107902.tif 000008
【図７】
2004107902.tif 000009